(57)【要約】【課題】排出条件の成立に基づき、所要数の遊技球を排出する排出装置を備えた遊技機において、遊技機のコストを増加させずに排出装置に供給される遊技球の球詰まりの発生を防止する。【解決手段】流下方向に対して垂直な所定方向の幅が少なくとも遊技球の直径の２倍以上である待機流路７２を備える。また、該待機流路７２の下流側端部に臨む回転体１７０の周面１７２に球保持部１７３を形成し、回転体１７３は、回転軸（接続部１７１）の延在方向に沿った位置が異なる複数種類の球保持部１７３を、少なくとも３種類以上備えるとともに、周面１７２の周方向に隣り合う当該球保持部１７３の種類が異なるようにする。【選択図】図１０
2008284079.tif 000002
【特許請求の範囲】
【請求項１】
所定の排出条件の成立に基づき、所要数の遊技球を排出する排出装置を備えた遊技機において、
前記排出装置は、
遊技球の流下方向に対して垂直な所定方向の幅が少なくとも遊技球の直径の２倍以上である待機流路と、
回転軸を中心に回転可能であり、前記回転軸が前記所定方向に沿って配されるとともに、周面が前記待機流路の下流側端部に臨む回転体と、
前記回転体の前記周面に複数形成され、前記待機流路で待機する遊技球を一個保持可能な球保持部と、
該球保持部で保持され、前記回転体の回転により誘導された遊技球が排出される排出流路と、を備え、
前記回転体は、
前記回転軸の延在方向に沿った位置が異なる複数種類の前記球保持部を、少なくとも３種類以上備えるとともに、前記周面の周方向に隣り合う当該球保持部の種類が異なるようにしたことを特徴とする遊技機。
【請求項２】
前記待機流路は、前記所定方向の幅が遊技球の直径の３倍未満であり、
前記球保持部は、
前記周面の一方の側端に隣接する第１球保持部と、
前記周面の他方の側端に隣接する第２球保持部と、
前記周面の中央に位置する第３球保持部と、を有することを特徴とする請求項１に記載の遊技機。
【請求項３】
前記周面に、前記第１球保持部と前記第２球保持部を同数形成するとともに、前記第３球保持部を前記第１球保持部及び前記第２球保持部よりも少ない数形成したことを特徴とする請求項２に記載の遊技機。
【請求項４】
前記排出装置を制御する制御装置を備え、
前記排出装置は、
前記回転体に形成された所定の前記球保持部を検出する第１検出手段と、
前記排出流路を流下する遊技球を検出する第２検出手段と、
前記回転体を駆動する駆動源と、を備え、
前記制御装置は、
前記駆動源により前記回転体を所定の回転速度で回転させたにもかかわらず前記第２検出手段で遊技球を検出しなかった場合に、前記第１検出手段からの情報に基づき所定の前記球保持部が前記待機流路に臨む状態となるまで前記回転体を前記所定の回転速度よりも高速で回転する回転速度変更手段を備えることを特徴とする請求項１から３の何れか一項に記載の遊技機。
【発明の詳細な説明】
【技術分野】
【０００１】
本発明は、排出条件の成立に基づき、所要数の遊技球を排出する排出装置を備えた遊技機に関する。
【背景技術】
【０００２】
従来の遊技機において、２条に整流された遊技球が供給され、その遊技球をモーター等の駆動源で回転するスプロケットにより排出を行う排出装置を設けた遊技機があった（例えば、特許文献１参照）。また、排出装置に供給する遊技球を整流するための特別な整流装置を備えた遊技機も提案されている（例えば、特許文献２参照）。
【特許文献１】特開２００１−１２９１９６号公報
【特許文献２】特開平５−２４５２５７号公報
【発明の開示】
【発明が解決しようとする課題】
【０００３】
しかし、上記特許文献１のような排出装置を備えた遊技機では、排出装置に供給する遊技球を予め整流する必要があり、その際に球詰まりが発生することがあった。また、上記特許文献２における遊技機の整流装置では駆動源が無いため、整流装置の部分で球詰まりが発生した場合にこれを解消することができず、大当たり状態であるにもかかわらず遊技者に遊技球を排出できないという不具合が発生していた。また、遊技機に特別な整流装置を必要とするため、遊技機のコストが増加してしまうという問題があった。
【０００４】
本発明の目的は、排出条件の成立に基づき、所要数の遊技球を排出する排出装置を備えた遊技機において、遊技機のコストを増加させずに排出装置に供給される遊技球の球詰まりの発生を防止することである。
【課題を解決するための手段】
【０００５】
以上の課題を解決するため、請求項１に記載の発明は、所定の排出条件の成立に基づき、所要数の遊技球を排出する排出装置を備えた遊技機において、
前記排出装置は、
遊技球の流下方向に対して垂直な所定方向の幅が少なくとも遊技球の直径の２倍以上である待機流路と、
回転軸を中心に回転可能であり、前記回転軸が前記所定方向に沿って配されるとともに、周面が前記待機流路の下流側端部に臨む回転体と、
前記回転体の前記周面に複数形成され、前記待機流路で待機する遊技球を一個保持可能な球保持部と、
該球保持部で保持され、前記回転体の回転により誘導された遊技球が排出される排出流路と、を備え、
前記回転体は、
前記回転軸の延在方向に沿った位置が異なる複数種類の前記球保持部を、少なくとも３種類以上備えるとともに、前記周面の周方向に隣り合う当該球保持部の種類が異なるようにしたことを特徴とする。
【０００６】
請求項１に記載の発明によれば、流下方向に対して垂直な所定方向の幅が少なくとも遊技球の直径の２倍以上である待機流路を備え、該待機流路の下流側端部に臨む回転体の周面に球保持部を形成し、回転体は、回転軸の延在方向に沿った位置が異なる複数種類の球保持部を、少なくとも３種類以上備えるとともに、周面の周方向に隣り合う当該球保持部の種類が異なるようにしたので、遊技機のコストを増加させずに排出装置に供給される遊技球の球詰まりの発生を防止できる。すなわち、排出装置に供給される遊技球を待機流路で一列に整列させる必要がないため、球詰まりの発生を防止できる。また、回転体は、回転軸の延在方向に沿った位置が異なる複数種類の球保持部を、少なくとも３種類以上備えるとともに、周面の周方向に隣り合う当該球保持部の種類が異なるようにしたので、待機流路でランダムに存在する遊技球を保持して排出することができる。つまり、排出装置として機能するとともに整流装置としても機能するので、整流のための特別な装置が必要なく、コストを低減することができるとともに、部品点数も少なくなり故障率を低減することができる。また、回転体が回転することで、球詰まり状態を能動的に解消することができる。
【０００７】
請求項２に記載の発明は、請求項１に記載の遊技機であって、前記待機流路は、前記所定方向の幅が遊技球の直径の３倍未満であり、
前記球保持部は、
前記周面の一方の側端に隣接する第１球保持部と、
前記周面の他方の側端に隣接する第２球保持部と、
前記周面の中央に位置する第３球保持部と、を有することを特徴とする。
【０００８】
請求項２に記載の発明によれば、待機流路は、所定方向の幅が遊技球の直径の３倍未満であり、球保持部は、周面の一方の側端に隣接する第１球保持部と、周面の他方の側端に隣接する第２球保持部と、周面の中央に位置する第３球保持部と、を有するので、待機流路の下流側端部におけるどの位置に遊技球が存在していても何れかの球保持部に流入することが可能であり、球詰まりが発生することがない。また、待機流路は、所定方向の幅が遊技球の直径の３倍未満であるので、所定方向に並ぶ遊技球の数は２個以下であって、このような流路で待機する遊技球は、流路の両側端及びその間の中央部分に存在する可能性が高い。よって、球保持部を周面の両側端と中央に備えることで、待機する遊技球を効率よく排出できる。
【０００９】
請求項３に記載の発明は、請求項２に記載の遊技機であって、前記周面に、前記第１球保持部と前記第２球保持部を同数形成するとともに、前記第３球保持部を前記第１球保持部及び前記第２球保持部よりも少ない数形成したことを特徴とする。
【００１０】
請求項３に記載の発明によれば、周面に、第１球保持部と第２球保持部を同数形成するとともに、第３球保持部を第１球保持部及び第２球保持部よりも少ない数形成したので、効率よく遊技球を排出できる。すなわち、待機流路の中央に遊技球が位置する場合は、待機流路の一側端側及び他側端側に遊技球が位置する場合に比して少ないので、これに合わせて球保持部を配置することで効率よく遊技球を保持でき、各配置位置に同数の球保持部を備える場合よりも回転体が１回転する際に排出される遊技球の数を多くできる。
【００１１】
請求項４に記載の発明は、請求項１から３の何れか一項に記載の遊技機であって、前記排出装置を制御する制御装置を備え、
前記排出装置は、
前記回転体に形成された所定の前記球保持部を検出する第１検出手段と、
前記排出流路を流下する遊技球を検出する第２検出手段と、
前記回転体を駆動する駆動源と、を備え、
前記制御装置は、
前記駆動源により前記回転体を所定の回転速度で回転させたにもかかわらず前記第２検出手段で遊技球を検出しなかった場合に、前記第１検出手段からの情報に基づき所定の前記球保持部が前記待機流路に臨む状態となるまで前記回転体を前記所定の回転速度よりも高速で回転する回転速度変更手段を備えることを特徴とする。
【００１２】
請求項４に記載の発明によれば、排出装置を制御する制御装置が、駆動源により回転体を所定の回転速度で回転させたにもかかわらず第２検出手段で遊技球を検出しなかった場合に、第１検出手段からの情報に基づき所定の球保持部が待機流路に臨む状態となるまで回転体を所定の回転速度よりも高速で回転する回転速度変更手段を備えるので、効率よく遊技球を排出できる。すなわち、球保持部の位置と待機流路の下流側端部における遊技球の位置とが合わないと遊技球が保持されず、回転体を回転しても遊技球が排出されない排出不能状態となるが、この場合に所定の球保持部が待機流路に臨むように回転体を高速で回転することで、排出不能状態をすばやく解消できる。特に、配置位置によって球保持部の数を異ならせた場合には、球保持部の数が少ない配置位置にある球保持部を所定の球保持部として設定すれば、排出不能状態をすばやく解消できる。
【発明の効果】
【００１３】
本発明によれば、流下方向に対して垂直な所定方向の幅が少なくとも遊技球の直径の２倍以上である待機流路を備え、該待機流路の下流側端部に臨む回転体の周面に球保持部を形成し、回転体は、回転軸の延在方向に沿った位置が異なる複数種類の球保持部を、少なくとも３種類以上備えるとともに、周面の周方向に隣り合う当該球保持部の種類が異なるようにしたので、遊技機のコストを増加させずに排出装置に供給される遊技球の球詰まりの発生を防止できる。すなわち、排出装置に供給される遊技球を待機流路で一列に整列させる必要がないため、球詰まりの発生を防止できる。また、回転体は、回転軸の延在方向に沿った位置が異なる複数種類の球保持部を、少なくとも３種類以上備えるとともに、周面の周方向に隣り合う当該球保持部の種類が異なるようにしたので、待機流路でランダムに存在する遊技球を保持して排出することができる。つまり、排出装置として機能するとともに整流装置としても機能するので、整流のための特別な装置が必要なく、コストを低減することができるとともに、部品点数も少なくなり故障率を低減することができる。また、回転体が回転することで、球詰まり状態を能動的に解消することができる。
【発明を実施するための最良の形態】
【００１４】
以下、この発明の実施形態について図面を参照して説明する。
ここでは、本発明にかかる遊技機の適例としてのパチンコ遊技機について図１から図１０を用いて説明を行う。
【００１５】
図１，２に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
【００１６】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、を有する。
【００１７】
前面枠本体１３０は、矩形枠状の機枠１１０の前面側をちょうど覆うような概略矩形板状に構成されるとともに、その中央から上端部に渡る部分に、図３に示すような遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００１８】
また、前面枠本体１３０の遊技盤１が嵌め込まれた開口部、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられたガイドレール２に囲まれた部分が、遊技球が発射されて流下する遊技領域１ａとされている。
【００１９】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板１４１が固定されている。そして、クリア部材保持枠１４０において、遊技機１００の前側からガラス板１４１を介して遊技盤１の前面側の少なくとも遊技領域１ａの部分が視認可能となっている。また、クリア部材保持枠１４０の前面であって、ガラス板１４１が固定されて遊技領域１ａを視認可能とする部分の周囲には、枠装飾装置としての装飾ランプ・ＬＥＤ１４４、音声を出力するスピーカ１４５，１４５などが設けられている。
【００２０】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２１】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置５２（図４に図示）に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５６、音声を出力するスピーカ１５７などが設けられている。
【００２２】
また、図２に示すように、前面枠本体１３０の裏面側には、遊技機１００としての諸機能を実現するための機構として、例えば、島設備より供給される遊技球を貯留する貯留タンク１０１や、該貯留タンク１０１から、遊技球を流下誘導する遊技球誘導部材１０２，１０３が設けられている。また、球貸要求に応じた球排出や賞球排出を行う排出装置７０や、該排出装置７０から排出された遊技球を上皿１５３に誘導する排出流路１０４が設けられている。さらに、遊技盤１に設けられた各種入賞口へ入賞して回収された遊技球や何れの入賞口にも入賞せずにアウト口から回収された遊技球を機外の回収球搬送路へ導く遊技球回収機構などが設けられている。また、遊技盤１に設けた遊技装置の動作制御などを行うことで遊技の進行を統括的に制御する遊技制御装置３０、液晶表示装置などを備え、変動表示ゲームなどを表示する演出表示装置１３、球排出や打球の発射制御を行う排出発射制御装置５０、各部へ所定の電源を供給する電源供給装置６０等が設けられている。
【００２３】
遊技盤１は、図３に示すように、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。また、遊技盤本体１ｂの前面であってガイドレール２の外側には、前面構成部材３，３，…が取り付けられている。そして、このガイドレール２で囲まれた遊技領域１ａ内に発射装置から遊技球（打球；遊技媒体）を発射して遊技を行うようになっている。
【００２４】
遊技領域１ａ内には、普通図柄始動ゲート４と、普通図柄変動表示ゲームの未処理回数を表示する普通図柄記憶表示器６（図４に図示）、普通図柄の変動表示ゲームを表示する普通図柄表示器５（図４に図示）が設けられている。また、遊技領域１ａ内には、始動入賞口をなす普通変動入賞装置７と、補助遊技としての特別図柄変動表示ゲームの未処理回数を点灯表示する特別図柄記憶表示器８、特別図柄変動表示ゲームを表示する特別図柄表示器９（図４に図示）が設けられている。
【００２５】
さらに遊技領域１ａには、上端側が手前側に倒れる方向に回動して開放可能になっているアタッカ形式の開閉扉１０ａを有し、補助遊技としての特別図柄変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車（図示略）、多数の障害釘（図示略）などが配設されている。
【００２６】
普通図柄始動ゲート４内には、該普通図柄始動ゲート４を通過した遊技球を検出するための普図始動センサ４ａが設けられている。そして、遊技領域１ａ内に打ち込まれた遊技球が普通図柄始動ゲート４内を通過すると、普通図柄変動表示ゲームが行われる。また、普通図柄変動表示ゲームを開始できない状態、例えば、既に普通図柄変動表示ゲームが行われ、その普通図柄変動表示ゲームが終了していない状態や、普通図柄変動表示ゲームが当って普通変動入賞装置７が開状態に変換されている場合に、普通図柄始動ゲート４を遊技球が通過すると、普通図柄始動記憶数の上限数未満でならば、普通図柄始動記憶数が１加算されて普通図柄始動記憶が１つ記憶されることとなる。なお、普通図柄変動表示ゲームの始動記憶は、ＬＥＤを備える普通図柄記憶表示器６にて表示されるようになっており、始動記憶が１つ記憶されるのに対応してＬＥＤを１つ点灯し、始動記憶が１つ減算されるのに対応してＬＥＤを１つ消灯するようになっている。
【００２７】
普通図柄変動表示ゲームは、遊技領域１ａ内に設けられた７セグからなる普通図柄表示器５で実行されるようになっている。なお、演出表示装置１３の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普通図柄変動表示ゲームの停止表示が特別の結果態様となれば、普通図柄の当りとなって、普通変動入賞装置７の開閉部材７ａ，７ａが所定時間（例えば、０.５秒間）上述のように開放される。これにより、普通変動入賞装置７に遊技球が入賞しやすくなり、特別図柄の変動表示ゲームの始動が容易となる。
【００２８】
普通変動入賞装置７は左右一対の開閉部材７ａ，７ａを具備し、この開閉部材７ａ，７ａは、常時は遊技球の直径程度の間隔をおいた閉じた状態（遊技者にとって不利な状態）を保持しているが、普通図柄変動表示ゲームの結果が所定の停止表示態様となった場合には、駆動装置としてのソレノイド（普電開閉ＳＯＬ７ｂ、図４に図示）によって、逆「ハ」の字状に開いて普通変動入賞装置７に遊技球が流入し易い状態（遊技者にとって有利な状態）に変化させられるようになっている。この普通変動入賞装置７は、特別図柄変動表示ゲームの始動入賞口も兼ねている。すなわち、普通変動入賞装置７の内部（入賞領域）に備えられた特図始動センサ７ｄによって遊技球を検出することに基づき、補助遊技としての特別図柄変動表示ゲームを開始する始動権利が発生するようになっている。
【００２９】
この特別図柄変動表示ゲームを開始する始動権利は、所定の上限数（例えば４）の範囲内で始動記憶（特別図柄始動記憶）として記憶される。従って、特別図柄変動表示ゲームが開始可能な状態で、且つ、始動記憶数が０の状態で、普通変動入賞装置７に遊技球が入賞すると、始動権利の発生に伴って始動記憶が記憶されて、始動記憶数が１加算されるととともに、直ちに始動記憶に基づいて、特別図柄変動表示ゲームが開始され、この際に始動記憶数が１減算される。
【００３０】
一方、特別図柄変動表示ゲームが直ちに開始できない状態、例えば、既に特別図柄変動表示ゲームが行われ、その特別図柄変動表示ゲームが終了していない状態や、特別遊技状態となっている場合に、普通変動入賞装置７に遊技球が入賞すると、始動記憶数が上限数未満ならば、始動記憶数が１加算されて始動記憶が１つ記憶されることになる。そして、始動記憶数が１以上となった状態で、特別図柄変動表示ゲームが開始可能な状態（前回の特別図柄変動表示ゲームの終了もしくは特別遊技状態の終了）となると、始動記憶数が１減算されるとともに、記憶された始動記憶に基づいて特別図柄変動表示ゲームが開始される。なお、特別図柄変動表示ゲームの始動記憶は、ＬＥＤを備える特別図柄記憶表示器８にて表示されるようになっており、始動記憶が１つ記憶されるのに対応してＬＥＤを１つ点灯し、始動記憶が１つ減算されるのに対応してＬＥＤを１つ消灯するようになっている。
【００３１】
補助遊技としての特別図柄（特図、識別情報）変動表示ゲームは、遊技領域１ａ内に設けられた７セグからなる特別図柄表示器９（図４に図示）で実行されるようになっており、複数の識別情報を変動表示したのち、所定の結果態様を停止表示することで行われる。また、演出表示装置１３にて複数種類の識別情報（例えば、数字、記号、キャラクタ図柄など）を変動表示させる特別図柄変動表示ゲームに対応した表示ゲームが実行されるようになっている。そして、この特別図柄変動表示ゲームの結果として、特別図柄表示器９の表示態様が特別結果態様（たとえば「７」）となった場合には、大当たりとなって特別遊技状態（いわゆる、大当たり状態）となる。また、これに対応して演出表示装置１３の表示態様も特別結果態様（例えば、「７，７，７」等のゾロ目数字の何れか）となる。なお、遊技機に特別図柄表示器９を備えずに、演出表示装置１３のみで特別図柄変動表示ゲームを実行するようにしても良い。
【００３２】
また、遊技領域１ａの略中央には、特別図柄変動表示ゲームの表示領域となる矩形状の表示窓部１４を形成するセンターケース１５が取り付けられている。このセンターケース１５に形成された表示窓部１４の後方には、演出表示装置１３が配されるようになっている。この演出表示装置１３は、例えば、液晶ディスプレイを備え、表示内容が変化可能な画像表示面１３ａがセンターケース１５の表示窓部１４を介して遊技盤１の前面側から視認可能となるように配されている。なお、演出表示装置１３は、液晶ディスプレイを備えるものに限らず、ＥＬ、ＣＲＴ等のディスプレイを備えるものであっても良い。
【００３３】
変動入賞装置としての特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、例えば、駆動装置としてのソレノイド（大入賞口開閉ＳＯＬ１０ｂ、図４に図示）により駆動される。また、大入賞口の内部（入賞領域）には、該大入賞口に入った遊技球を検出する入賞球検出手段としてのカウントセンサ１０ｃが配設されている。
【００３４】
また、遊技領域１ａに設けられた各一般入賞口１２には、一般入賞口１２に入った遊技球を検出するための一般入賞口センサ１２ａが配設されている。そして、遊技を開始することにより遊技領域１ａ内に打ち込まれた遊技球が、一般入賞口１２，１２，…、普通変動入賞装置７、特別変動入賞装置１０等の入賞口の何れかに入賞すると、それぞれの入賞口に対応した所定数の賞球が排出装置７０によって排出される（払い出される）ようになっている。
【００３５】
また、図４に示すように、遊技機１００は、その制御系として遊技の進行を制御する遊技制御装置３０、この遊技制御装置３０の制御下で各種の演出に関する制御を行うサブ制御装置としての演出制御装置４０、排出装置７０による賞球または貸球の払い出しの制御と、発射装置５２による遊技球の発射の制御を行うサブ制御装置としての排出発射制御装置５０、電力を供給する電源供給装置６０を備えている。
【００３６】
遊技制御装置３０は、ＣＰＵ３１ａ、ＲＡＭ３１ｂ、ＲＯＭ３１ｃ等を有する遊技用マイクロコンピュータ３１を備えるとともに、入出力インタフェース（入出力Ｉ／Ｆ）３３、各種処理の同期やタイマ等のためのパルス信号を出力するクロック（ＣＬＫ）３２（発振器）等により構成されている。
【００３７】
ＣＰＵ３１ａは、制御部、演算部を備え、演算制御を行う他、特別図柄変動表示ゲームの大当たり判定用乱数値などの各種乱数値なども生成している。ＲＡＭ３１ｂは、普通変動入賞装置７に設けられた特図始動センサ７ｄのオン信号などを記憶する記憶領域や、前記各種乱数値の記憶領域、並びに、ＣＰＵ３１ａの作業領域等を備えている。ＲＯＭ３１ｃには、遊技上の制御プログラムや制御データが書き込まれている他、上述の各種乱数値に対応して、特別図柄変動表示ゲームの大当り発生を判定するための、特別図柄変動表示ゲームの大当り判定値、変動パターン（リーチアクションの種類）の判定値などが記憶されている。
【００３８】
また、入出力インタフェース３３には、ローパスフィルタ及びバッファーゲートを介して、特図始動センサ７ｄ、普図始動センサ４ａ、一般入賞口センサ１２ａ，１２ａ，…、カウントセンサ１０ｃ、などが接続されている。そして、入出力インタフェース３３は、これらから入力された各種信号を中継し、ＣＰＵ３１ａに対し出力する。さらに、入出力インタフェース３３には、ＣＰＵ３０ｂから出力される各種の制御信号が入力される。これら制御信号は、該入出力インタフェース３３により中継されて、図示しない出力ポート及びドライバを介して、特別図柄表示器９、特別図柄記憶表示器８、普通図柄表示器５、普通図柄記憶表示器６、大入賞口開閉ＳＯＬ１０ｂ、普電開閉ＳＯＬ７ｂ、遊技機外部の管理装置などと接続する外部出力端子１６、演出制御装置４０、排出発射制御装置５０に出力される。
【００３９】
サブ制御装置としての演出制御装置４０は、演算処理用ＣＰＵ、ＲＯＭ、ＲＡＭ等を備え、遊技制御装置３０から受信した演出制御データに基づいて（遊技制御装置３０の制御の下に）遊技機の制御を行うものである。演出制御装置４０が制御を行うものとしては、例えば、枠装飾装置としての装飾ランプ・ＬＥＤ１４４の点灯、点滅や、スピーカ１４５，１５７から出力される効果音、並びに、演出表示装置１３の表示内容がある。
【００４０】
サブ制御装置としての排出発射制御装置５０は、演算処理用ＣＰＵ、ＲＯＭ、ＲＡＭ等を備え、遊技制御装置３０からの賞球制御指令（賞球数データの受信）や、球貸機（図示略）からの球貸制御指令に基づいて、排出装置７０に所定数の遊技球（賞球、貸球）を排出させる制御を行う。また、発射装置５２による遊技球の発射制御を行ようになっており、排出発射制御装置５０には、遊技者が操作ハンドル１５６に触れることで、操作ハンドル１５６に設けられたタッチセンサ５４からの信号が入力されるようになっている。また、遊技者が操作ハンドル１５６に設けられた発射停止スイッチ５３を操作することで、該発射停止スイッチ５３からの入力信号がタッチセンサ５４からの入力信号と併せて入力されるようになっている。
【００４１】
また、遊技制御装置３０には、電源供給装置６０から電力が供給されており、その他の装置にも電源供給装置６０から電力が供給されるようになっている。さらに、電源供給装置６０には、停電時等の外部からの電力の供給が途絶えた場合でも電力を供給可能とするためのバックアップ電源６１が備えられ、停電時等に各制御装置の揮発性メモリに保存されたデータの消失を防止するようになっている。
【００４２】
これらの制御回路においては、例えば以下のような制御が行われる。
遊技制御装置３０のＣＰＵ３１ａでは、普通図柄始動ゲート４に備えられた普図始動センサ４ａからの遊技球の検出信号の入力に基づき、普通図柄の当たり判定用乱数値を抽出してＲＯＭ３１ｃに記憶されている判定値と比較し、普通図柄変動表示ゲームの当たり外れを判定する処理を行う。そして、普通図柄表示器５に、識別図柄を所定時間変動表示した後、停止表示する普通図柄変動表示ゲームを表示する処理を行う。この普通図柄変動表示ゲームの結果が当たりの場合は、普通図柄表示器５に特別の結果態様を表示するとともに、普電開閉ＳＯＬ７ｂを動作させ、普通変動入賞装置７の開閉部材７ａ，７ａを所定時間（例えば、０.５秒間）上述のように開放する制御を行う。なお、普通図柄変動表示ゲームの結果がはずれの場合は、普通図柄表示器５にはずれの結果態様を表示する制御を行う。
【００４３】
また、普通変動入賞装置７に備えられた特図始動センサ７ｄからの遊技球の検出信号の入力に基づき、特別図柄の大当たり判定用乱数値を抽出してＲＯＭ３１ｃに記憶されている判定値と比較し、特別図柄変動表示ゲームの当たり外れを判定する処理を行う。また、この他に変動パターンの判定を行う処理などを行い、これらの結果を含む制御信号（演出制御データ）を、演出制御装置４０に出力する。そして、特別図柄表示器９に、識別図柄を所定時間変動表示した後、停止表示する特別図柄変動表示ゲームを表示する処理を行う。また、演出制御装置４０では、遊技制御装置３０からの制御信号に基づき、演出表示装置１３で特別図柄変動表示ゲームに対応した表示ゲームを表示する処理や、スピーカ１４５，１５７からの音の出力、枠装飾装置としての装飾ランプ、ＬＥＤ１４４を制御する処理を行う。
【００４４】
そして、遊技制御装置３０のＣＰＵ３１ａは、特別図柄変動表示ゲームの結果が当たりの場合は、特別図柄表示器９に特別の結果態様を表示するとともに、特別遊技状態を発生させる処理を行う。この特別遊技状態を発生させる処理においては、例えば、大入賞口開閉ＳＯＬ１０ｂにより特別変動入賞装置１０の開閉扉１０ａを開放し、大入賞口内への遊技球の流入を可能とする制御を行う。そして、大入賞口に所定個数（例えば１０個）の遊技球が入賞するか、大入賞口の開放から所定時間か経過するかの何れかの条件が達成されるまで大入賞口を開放することを１ラウンドとし、これを所定ラウンド回数（例えば１５回）継続する（繰り返す）制御（サイクル遊技）を行う。なお、特別図柄変動表示ゲームの結果がはずれの場合は、特別図柄表示器９にはずれの結果態様を表示する制御を行う。
【００４５】
また、遊技制御装置３０のＣＰＵ３１ａは、各種入賞口に設けられたセンサ（特図始動センサ７ｄ、カウントセンサ１０ｃ、一般入賞口センサ１２ａ）から入力される遊技球の検出信号に基づき、排出発射制御装置５０に制御信号（賞球数データ）を出力する。排出発射制御装置５０は、制御信号の入力に基づき排出装置７０を制御して所定数の遊技球が払い出されるようにする。
【００４６】
また、排出発射制御装置５０は、操作ハンドル１５６に設けられたタッチセンサ５４からの信号が入力されている間は、発射装置５２を動作させて遊技球を発射する制御を行う。また、タッチセンサ５４から信号が入力されている間であっても、操作ハンドル１５６に設けられた発射停止スイッチ５３からの入力信号が入力されている場合は、発射装置５２を停止させて遊技球の発射を停止する制御を行う。
【００４７】
次に、排出装置７０の詳細について図５から１０を参照して説明する。
図５から８に示すように、排出装置７０は、略矩形箱状の第１ケース８０、第２ケース９０と、その間に配される仕切部材１６０とから内部に各種部材を収容可能な空間を有する略直方体状に形成されている。この第１ケース８０、第２ケース９０、仕切部材１６０とから形成される内部の空間には、遊技球が流下する流路７１、遊技球の流下を制御する回転体１７０、該回転体１７０を動作させるための駆動源１８０（ステッピングモータ）、排出発射制御装置５０からの配線を中継するための中継基板１８２、排出される遊技球を検出する排出球センサ１８３が設けられている。
【００４８】
図６、８に示すように、第１ケース８０は、底壁８１と該底壁８１の周囲に沿って底壁８１に対して垂直に形成された周囲壁８２とを備え、該周囲壁８２で囲まれた内部には、底壁８１に対して垂直な板状の流路形成壁８３が形成されている。
【００４９】
この流路形成壁８３は、第１ケース８０の上端から下方の所定範囲においては、待機流路７２を形成するように一対の流路形成壁８３が遊技球の直径よりやや広い間隔をおいて対向するように形成されている。また、一対の対向する流路形成壁８３の上端部は上側の周囲壁８２に接続している。そして、上側の周囲壁８２における一対の対向する流路形成壁８３との接続部に挟まれた部分は、周囲壁８２が途切れ、一対の対向する流路形成壁８３の間隙に通じる開口が形成されており、この部分が流路７１の流入口７１ａとなる。
【００５０】
また、待機流路７２を形成する一対の流路形成壁８３のうち、後述する回転体１７０の回転方向側に位置する流路形成壁８３の下方は、回転体収容部７３を形成するように回転体１７０に沿う円弧状に形成され、さらに、その下方は、第１ケース８０の下端にかけて排出流路７４を形成するように垂直に形成されている。また、排出流路７４を形成する流路形成壁８３の下部には、排出流路７４を流下する遊技球を検出する排出球センサ１８３を配設するセンサ配設部８４が形成されている。そして、センサ配設部８４の下方であって、排出球センサ１８３を通過した遊技球が流下する部分は、周囲壁８２が途切れて開口が形成されており、この開口が流路７１の排出口７１ｂとなる。また、流路形成壁８３の円弧状に形成された部分の内側に沿うように、遊技球の半径と略等しい距離をおいて誘導リブ８５が形成されている。この誘導リブ８５は、流路形成壁８３に沿って流下する遊技球を、底壁８１よりも開口端側へ誘導するように、下流側にかけて延出幅が増加するように形成されている。
【００５１】
また、この他に第１ケース８０には、仕切部材１６０に対する位置決めのための位置決め用ボス８６，８６が底壁８１に対して垂直に延出するように形成されている。また、第１ケース８０と第２ケース９０とを固着するためのねじ穴８７，８７が形成されている。さらに、中継基板１８２を保持する中継基板保持部８８を備え、ここに保持される中継基板１８２に形成されたコネクタ部１８２ａに対応する位置には、該コネクタ部１８２ａを外部に露出させるための接続用開口８８ａが形成されている。
【００５２】
図６に示すように、第２ケース９０は、底壁９１と該底壁９１の周囲に沿って底壁９１に対して垂直に形成された周囲壁９２とを備え、該周囲壁９２で囲まれた内部の空間９３には駆動源（ステッピングモータ）が収容されるようになっている。また、底壁９１には、駆動源１８０の配設位置に合わせて開口９４が形成されていて、この開口９４に駆動源１８０がちょうど嵌るようになっている。この開口９４から外部に露出する駆動源１８０の一側面は、底壁９１の外面と同一面を形成するようになっている。
【００５３】
また、この他に第２ケース９０には、仕切部材１６０に対する位置決めのための位置決め用ボス９５，９５，…が底壁９１に対して垂直に延出するように形成されている。また、第１ケース８０と第２ケース９０とを固着するためのねじ止め部９６，９６，９６が形成されている。さらに、中継基板１８２を保持する中継基板保持部９７を備え、ここに保持される中継基板１８２に形成されたコネクタ部１８２ａに対応する位置には、該コネクタ部１８２ａを外部に露出させるための接続用開口９７ａが形成されている。
【００５４】
図６、８に示すように、第１ケース８０と第２ケース９０との間に配される仕切部材１６０は、第１ケース８０と第２ケース９０を仕切るように配される仕切壁１６１と、該仕切壁１６１に対して垂直に形成された周囲壁１６２とを備える。周囲壁１６２は、仕切壁１６１における第１ケース８０の底壁８１と対向する面側へ延出するように形成されており、この周囲壁１６２で囲まれた内部には、仕切壁１６１に対して垂直な板状の流路形成壁１６３、誘導リブ１６７が形成されている。この流路形成壁１６３及び誘導リブ１６７は、第１ケース８０に形成された流路形成壁１６３及び誘導リブ１６７と同様の構成を有している。また、仕切部材１６０の第１ケース８０と対向する側には、第１ケース８０の開口端部に形成された位置決め用ボス８６，８６を挿入可能な位置決め用凹部１８４，１８４が形成されており、仕切部材１６０の所定位置に第１ケース８０が配設される。
【００５５】
そして、第１ケース８０と対向する側では、仕切壁１６１と第１ケース８０の底壁８１が対向し、かつ、第１ケース８０に形成された周囲壁８２、流路形成壁８３及び誘導リブ８５と、仕切部材１６０に形成された周囲壁１６２、流路形成壁１６３及び誘導リブ１６７とがそれぞれ対向するように第１ケース８０が配される。このうち、周囲壁８２，１６２は互いの先端部が当接するように配され、第１ケース８０の底壁８１及び周囲壁８２と、仕切部材１６０の仕切壁１６１及び周囲壁１６２とで囲まれた空間が形成される。また、この空間内に位置する流路形成壁８３，１６３は、互いの先端が当接するか、遊技球の直径以下の間隔をおいて対向し、遊技球が待機する待機流路７２、回転体１７０を収容する回転体収容部７３、排出される遊技球が流下する排出流路７４を形成する。
【００５６】
また、仕切部材１６０の仕切壁１６１における第２ケース９０の底壁９１と対向する面には、駆動源１８０を取り付ける駆動源取付部（図示略）が形成されている。さらに、この駆動源取付部に取り付けられた駆動源１８０の駆動軸１８０ａを、底壁８１と対向する面側に挿通可能な駆動軸挿通孔１６５が形成されている。また、仕切部材１６０の第２ケース９０と対向する側には、第２ケース９０の開口端部に形成された位置決め用ボス９５，９５，…を挿通可能な位置決め用挿通穴１６６が形成されており、仕切部材１６０の所定位置に第２ケース９０が配設される。
【００５７】
そして、仕切部材１６０の第２ケース９０と対向する側には、仕切壁１６１と第２ケース９０の底壁９１が対向し、かつ、第２ケース９０に形成された周囲壁９２の先端部と、仕切壁１６１の外周部分とが当接するように第２ケース９０が配される。これにより、第２ケース９０の底壁９１及び周囲壁９２と、仕切壁１６１とで囲まれた空間が形成される。この空間は駆動源１８０を収容する駆動源収容部１８１をなし、仕切壁１６１の第２ケース９０と対向する側に形成された駆動源取付部に取り付けられた駆動源１８０が収容される。また、図５に示すように、第１ケース８０と第２ケース９０に形成された中継基板保持部８８，９７は、仕切部材１６０の周囲壁１６２の外側で直接接続し、仕切部材１６０の周囲壁１６２の外側に中継基板１８２を保持するようになっている。
【００５８】
第１ケース８０と仕切部材１６０とにより形成された待機流路７２は、遊技球の流下方向に対して垂直な所定方向に沿った幅である、第１ケース８０の底壁８１から仕切部材１６０の仕切壁１６１までの幅が、遊技球の直径の２倍よりやや広く、かつ、３倍未満の幅とされ、遊技球が並列に２列で待機可能となっている。ただし、待機流路７２の内部には遊技球を一列に整列する隔壁はなく、この待機流路７２で待機する遊技球は、完全には整列せずに待機するようになっている。この待機流路７２の上流側端部は排出装置７０の上部に開口した流入口７１ａとなっており、図２に示すように、排出装置７０を遊技機１００に取り付けることで遊技球誘導部材１０２，１０３と接続し、待機流路７２に遊技球が供給されるようになっている。なお、待機流路７２と接続する遊技球誘導部材１０２，１０３も待機流路７２と同様に、遊技球の直径の２倍よりやや広い幅とされ、遊技球を一列に整列せずに供給するようになっている。このように遊技球を一列に整列させる必要がないため、球詰まりの発生を防止できる。
【００５９】
また、回転体収容部７３は、待機流路７２の下流側端部に接続するように形成される。この回転体収容部７３に収容される回転体１７０は、図６、７に示すように、略円柱状の部材で、その中心軸に沿って駆動源１８０（ステッピングモータ）の駆動軸１８０ａと接続可能な接続部１７１が形成されている。この接続部１７１には、仕切壁１６１に形成された駆動軸挿通孔１６５を貫通して回転体収容部７３に延出する駆動軸１８０ａが接続され、駆動源１８０により第１ケース８０側から見て時計回り方向に回転されるようになっている。すなわち、回転体１７０は中心軸に沿って回転軸が設定されている。
【００６０】
また、略円柱状の回転体１７０の曲面となった周面１７２の中心軸に沿った方向の幅は、待機流路７２の幅と略等しく遊技球の直径の２倍よりやや広い幅とされ、この周面１７２には、遊技球を一個受け入れ可能な凹部である球保持部１７３が複数形成されている。この複数の球保持部１７３には、中心軸（回転軸）の延在方向に沿った位置が異なる複数種類の球保持部１７３があって、周面１７２における第１ケース８０側の側端に隣接する第１球保持部１７３ａと、周面における仕切部材１６０側の側端に隣接する第２球保持部１７３ｂと、周面１７２の中央に位置する第３球保持部１７３ｃの３種類がある。
【００６１】
また、３種類の球保持部１７３は、周面１７２にそれぞれ３つずつ形成されており、合計９つの球保持部１７３が形成されている。そして、この３種類の球保持部１７３の周方向に沿った並び順は、第１ケース８０側から見た時計回り方向へ順に、第１球保持部１７３ａ、第３球保持部１７３ｃ、第２球保持部１７３ｂとされ、この並び順が３回繰り返すように配されている。すなわち、周面１７２の周方向に隣り合う球保持部１７３の種類は異なるものとされている。
【００６２】
この回転体１７０の周面１７２は、図９に示すように、待機流路７２の下流側端部に臨むようになっており、回転することで各球保持部１７３が順次待機流路７２の下流側端部に臨むようになっている。そして、図１０に示すように、待機流路７２の下流側端部に臨む球保持部１７３と対応する位置（上方の位置）に待機している遊技球が、球保持部１７３に流入するようになっている。なお、回転体１７０の周面１７２における待機流路７２の下流側端部に臨んでいる部分のうち、球保持部１７３が形成されていない部分は、待機流路７２からの遊技球の流出を規制するようになっている。
【００６３】
また、回転体収容部７３の内部には、該回転体収容部７３を形成する円弧状の流路形成壁８３，１６３に沿って形成された誘導リブ８５，１６７が、所定の間隔をおいて対向して配される。この対向する誘導リブ８５，１６７の間隔は、下流側へ向かって徐々に間隔が狭まり、最も間隔が狭まった部分では遊技球の直径よりもやや広い間隔となる。これにより、回転体収容部７３内に、流路形成壁８３，１６３、回転体１７０、誘導リブ８５，１６７とで、排出流路７４へ向かって遊技球を一列に流下案内する誘導流路７５が形成される。なお、回転体収容部７３を形成する円弧状の流路形成壁８３，１６３は、遊技球の直径よりも狭い間隔をあけて対向して配され、流路形成壁８３，１６３の間には上下方向に沿ってに延在する溝状の隙間が形成されている。誘導流路７５はこの溝状の隙間に沿って形成されており、誘導流路７５を流下する遊技球は流路形成壁８３，１６３よりも周囲壁８２，１６２側へ一部が突出した状態で流下するようになっている。
【００６４】
回転体収容部７３の下方に形成される排出流路７４は、回転体収容部７３内に形成された誘導流路７５の下流側端部に接続するように形成される。この排出流路７４の下流側端部は、排出装置７０の下部に開口した排出口７１ｂとなっている。さらに、排出流路７４にはセンサ取付部８４，１６８が形成されており、このセンサ取付部８４，１６８には流下する遊技球を検出可能な排出球センサ１８３が設けられている。
【００６５】
以上のことから、所定の排出条件の成立に基づき、所要数の遊技球を排出する排出装置７０を備えた遊技機１００において、排出装置７０は、遊技球の流下方向に対して垂直な所定方向の幅が少なくとも遊技球の直径の２倍以上である待機流路７２と、回転軸（接続部１７１）を中心に回転可能であり、回転軸が所定方向に沿って配されるとともに、周面１７２が待機流路７２の下流側端部に臨む回転体１７０と、回転体１７０の周面１７２に複数形成され、待機流路７２で待機する遊技球を一個保持可能な球保持部１７３と、該球保持部１７３で保持され、回転体１７０の回転により誘導された遊技球が排出される排出流路７４と、を備え、回転体１７０は、回転軸の延在方向に沿った位置が異なる複数種類の球保持部１７３を、少なくとも３種類以上備えるとともに、周面１７２の周方向に隣り合う当該球保持部１７３の種類が異なるようにしたこととなる。
【００６６】
以上のような排出装置７０は、図２に示すように、前面枠本体１３０の裏面側に配されており、遊技球を貯留する貯留タンク１０１から、遊技球を流下誘導する遊技球誘導部材１０２，１０３を介して遊技球が供給されるようになっている。遊技球誘導部材１０２，１０３の内部には、待機流路７２と同様に、遊技球の直径の２倍よりやや広い幅を有し、遊技球を一列に整列せず略二列で流下する流下路が形成されている。そして、排出装置７０は、遊技制御装置３０の制御の下、排出発射制御装置５０により制御されて所定数の遊技球を排出し、排出された遊技球は排出流路１０４を通って上皿１５３へ誘導されるようになっている。
【００６７】
この排出装置７０は駆動源１８０により回転体１７０を第１ケース８０側から見て時計回り方向に回転駆動することで所定数の遊技球を排出するようになっている。まず、図９（ａ）に示すように、第１球保持部１７３ａが待機流路７２の下流側端部に臨む状態では、図１０（ａ）に示すように、待機流路７２の下流側端部に位置する遊技球のうち、第１ケース８０側に位置する遊技球を受け入れ可能となる。また、仕切部材１６０側に位置する遊技球や中央に位置する遊技球は、回転体１７０の周面によって流下が規制された状態となる。
【００６８】
そして、この状態から所定角度回転すると、図９（ｂ）に示すように、第３球保持部１７３ｃが待機流路７２の下流側端部に臨む状態となり、図１０（ｂ）に示すように、待機流路７２の下流側端部に位置する遊技球のうち、中央に位置する遊技球が受け入れ可能となる。また、第１ケース８０側に位置する遊技球や仕切部材１６０側に位置する遊技球は、回転体１７０の周面によって流下が規制された状態となる。
【００６９】
さらに所定角度回転すると、図９（ｃ）に示すように、第２球保持部１７３ｂが待機流路７２に臨む状態となり、図１０（ｃ）に示すように、待機流路７２の下流側端部に位置する遊技球のうち、仕切部材１６０側に位置する遊技球が受け入れ可能となる。また、第１ケース８０側に位置する遊技球や中央に位置する遊技球は、回転体１７０の周面によって流下が規制された状態となる。
【００７０】
なお、待機流路７２の下流側端部に臨む球保持部１７３の直上に位置する遊技球がない場合は、球保持部１７３に遊技球が流入しないこともある。また、待機流路７２内での遊技球の状態や、球保持部１７３の回転による振動などにより、待機流路７２の下流側端部に臨む球保持部１７３の直上に位置する遊技球がなくても遊技球の位置がずれて球保持部１７３に流入することもある。
【００７１】
以上のような回転体１７０を備える排出装置７０は、排出装置として機能するとともに整流装置としても機能するので、整流のための特別な装置が必要なく、コストを低減することができるとともに、部品点数も少なくなり故障率を低減することができる。また、回転体１７０が回転することで、球詰まり状態を能動的に解消することができる。
【００７２】
上述のように球保持部１７３で保持された遊技球は回転体１７０の回転に伴い下方へ誘導され、球保持部１７３が傾くことで球保持部１７３から流出して下方へ流下し、回転体収容部７３内に形成された誘導流路７５に流入する。この誘導流路７５に流入した遊技球は、流路形成壁８３，１６３と回転体１７０の間を流下するとともに、誘導リブ８５，１６７によって、第１ケース８０と仕切部材１６０の中間部分に集合されて一列になって流下する。すなわち、中心軸（回転軸）の延在方向に沿った位置が異なる第１球保持部１７３ａ、第２球保持部１７３ｂ、第３球保持部１７３ｃの何れの球保持部１７３から流出した遊技球とも、誘導リブ８５，１６７によって第１ケース８０と仕切部材１６０の中間部分に集合されて一列になって流下するようになっている。この誘導流路７５を一列に流下した遊技球は排出流路７４に流入し、ここに設けられた排出球センサ１８３によって検出された後、排出装置７０の下部に開口した排出口７１ｂから排出される。排出装置７０から排出された遊技球は、上皿１５３に誘導されるようになっている。
【００７３】
排出発射制御装置５０においては、駆動源１８０を連続して回転することで上述のように排出装置７０から順次遊技球を排出するとともに、排出球センサ１８３からの検出信号に基づき排出された遊技球の個数を計数し、所定数の遊技球が排出された際に駆動源１８０を停止する。これにより所定数の遊技球を高速かつ確実に排出することができる。
【００７４】
なお、以上の実施形態においては、駆動源１８０としてステッピングモータを用いたが、これに限られるものではなく、ロータリーソレノイド、モータなどを用いても良い。
また、第１球保持部１７３ａ、第２球保持部１７３ｂ、第３球保持部１７３ｃはそれぞれ遊技球を１個保持できるとしたが、２個以上保持できるようにしても良い。
【００７５】
次に、上述した実施形態の遊技機の変形例である、排出装置７０の変形例について図１１から１３を参照して説明する。なお、基本的には、上述の実施形態の遊技機と同様の構成を有しており、以下、主に異なる部分について説明する。本変形例の遊技機の排出装置２００は、回転体２１０の周面１７２における中央に位置する第３球保持部１７３ｃの数を、側端に位置する第１球保持部１７３ａ、第２球保持部１７３ｂよりも少なくすることで、空のまま回転する球保持部１７３を減らし、効率よく遊技球を排出できるようにしている。
【００７６】
上述したように、待機流路７２は遊技球の直径の２倍よりやや広い幅とされている。このような待機流路７２で待機する遊技球は一列に整列せずに待機するようになっているが、ほとんどは二列に並んで待機し、中央部に遊技球が位置することはそれほど多くない。そして、遊技球が略二列に並んで待機している状態では、周面１７２の中央に位置する第３球保持部１７３ｃには遊技球が流入しないので、第３球保持部１７３ｃが空のまま回転することとなり、効率が悪くなってしまう。
【００７７】
そこで、図１１に示すように、本変形例の排出装置２００の回転体２１０は、第１球保持部１７３ａ、第２球保持部１７３ｂをそれぞれ４つずつ形成したのに対して第３球保持部１７３ｃを１つのみとし、空のまま回転する球保持部１７３を減らし、効率よく遊技球を排出できるようにしている。また、このように第３球保持部１７３ｃの数を減らしたことで、各球保持部１７３ａ，１７３ｂ，１７３ｃを同数設ける場合に比べ、第１球保持部１７３ａ、第２球保持部１７３ｂの数を増やすことができ、より効率よく遊技球を排出できるようになる。すなわち、回転体２１０が１回転する際に排出される遊技球の数を多くできる。
【００７８】
以上のことから、周面１７２に、第１球保持部１７３ａと第２球保持部１７３ｂを同数形成するとともに、第３球保持部１７３ｃを第１球保持部１７３ａ及び第２球保持部１７３ｂよりも少ない数形成したこととなる。
【００７９】
さらに、図１１に示すように、回転体２１０の第１ケース８０側に配される側面であって中心軸（回転軸）に沿った接続部１７１と第３球保持部１７３ｃとの間には、棒状の検出片２１１が中心軸と平行に延出するように形成されている。また、図１２に示すように、第１ケース８０の底壁８１には、この検出片２１１を検出可能な検出センサ２２０が設けられている。
【００８０】
この検出センサ２２０は、発光部２２１と受光部２２２とが所定の間隔をおいて対向して配された光センサで、受光部２２２において発光部２２１からの光を検出することでＯＮ信号を出力するものである。この検出センサ２２０の詳細な取り付け位置は、図１３に示すように、発光部２２１と受光部２２２の間隙が回転体２１０に形成された検出片２１１が移動する円周上の位置で、かつ、図１３（ｂ）に示すように、第３球保持部１７３ｃが待機流路７２の下流側端部に臨む位置にあるときに、検出片２１１が発光部２２１と受光部２２２の間隙に位置するような位置とされている。
【００８１】
この検出センサ２２０においては、図１３（ｂ）に示すように、第３球保持部１７３ｃが待機流路７２の下流側端部に臨む位置にあるときは、回転体２１０に形成された検出片２１１が検出センサ２２０の発光部２２１と受光部２２２との間に挿入された状態となり、発光部２２１からの光が遮られて受光部２２２で検出不能な状態、すなわち検出センサ２２０がＯＦＦとなる。また、図１３（ａ）、（ｃ）に示すように、第３球保持部１７３ｃが待機流路７２の下流側端部に臨む位置にないときは、検出片２１１が検出センサ２２０の発光部２２１と受光部２２２の間から退避し、発光部２２１からの光を受光部２２２で検出可能な状態、すなわち検出センサ２２０がＯＮとなる。これにより、検出センサ２２０を監視することで第３球保持部１７３ｃが待機流路７２の下流側端部に臨む位置にあるか否かを検出することが可能となる。すなわち、検出センサ２２０が、所定の球保持部１７３を検出する第１検出手段をなす。
【００８２】
排出発射制御装置５０は、上述したように、所定の回転速度で回転体２１０を回転させることで遊技球を排出するようにしており、排出球センサ１８３からの検出信号に基づき排出する遊技球を検出するようにしている。すなわち、排出球センサ１８３が排出流路７４を流下する遊技球を検出する第２検出手段をなす。このとき、待機流路７２の下流側端部にある遊技球が中央の位置にある場合は、第３球保持部１７３ｃの数が少ないため、回転体２１０を回転させたにもかかわらず、遊技球が排出できずに排出球センサ１８３で遊技球を検出しない状態が発生する。このような状態が発生した場合に排出発射制御装置５０は、検出センサ２２０で検出片２１１を検出するまで回転体２１０を所定の回転速度よりも高速で回転して、第３球保持部１７３ｃが待機流路７２に臨む状態とし、待機流路７２の中央の位置にある遊技球を排出できる状態とする。すなわち排出発射制御装置５０が、所定の球保持部１７３が待機流路７２に臨む状態となるまで回転体２１０を所定の回転速度よりも高速で回転する回転速度変更手段をなす。これによって、回転体２１０を回転しても遊技球が排出されない排出不能状態をすばやく解除することができる。
【００８３】
以上のことから、排出装置２００を制御する制御装置（排出発射制御装置５０）を備え、排出装置２００は、回転体２１０に形成された所定の球保持部（第３球保持部１７３ｃ）を検出する第１検出手段（検出センサ２２０）と、排出流路７４を流下する遊技球を検出する第２検出手段（排出球センサ１８３）と、回転体２１０を駆動する駆動源１８０と、を備え、制御装置は、駆動源１８０により回転体２１０を所定の回転速度で回転させたにもかかわらず第２検出手段で遊技球を検出しなかった場合に、第１検出手段からの情報に基づき所定の球保持部（第３球保持部１７３ｃ）が待機流路７２に臨む状態となるまで回転体２１０を所定の回転速度よりも高速で回転する回転速度変更手段（排出発射制御装置５０）を備えたこととなる。
【００８４】
なお、検出センサ２２０は所定の球保持部１７３として第３球保持部１７３ｃを検出するとしたが、その他の球保持部１７３を検出するように構成しても良い。特に、回転軸（接続部１７１）の延在方向に沿った位置が異なる複数種類の球保持部１７３のうち、周面１７２の側端に隣接する球保持部１７３以外の球保持部１７３、すなわち、中央寄りにある球保持部１７３を検出するようにすることが好ましい。このような球保持部１７３は、上述したように遊技球が流入する頻度が側端に隣接する球保持部１７３より低いことが多く、これを第１検出手段で検出するようにすればより効率よく遊技球を排出可能となる。
また、球保持部１７３の検出方法は上述の方法に限られず、その他の方法でも良い。
【００８５】
以上のような遊技機１００は、所定の排出条件の成立に基づき、所要数の遊技球を排出する排出装置７０を備えた遊技機１００であって、排出装置７０は、遊技球の流下方向に対して垂直な所定方向の幅が少なくとも遊技球の直径の２倍以上である待機流路７２と、回転軸（接続部１７１）を中心に回転可能であり、回転軸が所定方向に沿って配されるとともに、周面１７２が待機流路７２の下流側端部に臨む回転体１７０と、回転体１７０の周面１７２に複数形成され、待機流路７２で待機する遊技球を一個保持可能な球保持部１７３と、該球保持部１７３で保持され、回転体１７０の回転により誘導された遊技球が排出される排出流路７４と、を備え、回転体１７０は、回転軸の延在方向に沿った位置が異なる複数種類の球保持部１７３を、少なくとも３種類以上備えるとともに、周面１７２の周方向に隣り合う当該球保持部１７３の種類が異なるようにしている。
【００８６】
したがって、流下方向に対して垂直な所定方向の幅が少なくとも遊技球の直径の２倍以上である待機流路７２を備え、該待機流路７２の下流側端部に臨む回転体１７０の周面１７２に球保持部１７３を形成し、回転体１７０は、回転軸の延在方向に沿った位置が異なる複数種類の球保持部１７３を、少なくとも３種類以上備えるとともに、周面１７２の周方向に隣り合う当該球保持部１７３の種類が異なるようにしたので、遊技機１００のコストを増加させずに排出装置７０に供給される遊技球の球詰まりの発生を防止できる。すなわち、排出装置７０に供給される遊技球を待機流路７２で一列に整列させる必要がないため、球詰まりの発生を防止できる。また、回転体１７０は、回転軸の延在方向に沿った位置が異なる複数種類の球保持部１７３を、少なくとも３種類以上備えるとともに、周面１７２の周方向に隣り合う当該球保持部１７３の種類が異なるようにしたので、待機流路７２でランダムに存在する遊技球を保持して排出することができる。つまり、排出装置として機能するとともに整流装置としても機能するので、整流のための特別な装置が必要なく、コストを低減することができるとともに、部品点数も少なくなり故障率を低減することができる。また、回転体１７０が回転することで、球詰まり状態を能動的に解消することができる。
【００８７】
また、待機流路７２は、所定方向の幅が遊技球の直径の３倍未満であり、球保持部１７３は、周面１７２の一方の側端に隣接する第１球保持部１７３ａと、周面１７２の他方の側端に隣接する第２球保持部１７３ｂと、周面１７２の中央に位置する第３球保持部１７３ｃと、を有する。
【００８８】
したがって、待機流路７２は、所定方向の幅が遊技球の直径の３倍未満であり、球保持部１７３は、周面１７２の一方の側端に隣接する第１球保持部１７３ａと、周面１７２の他方の側端に隣接する第２球保持部１７３ｂと、周面１７２の中央に位置する第３球保持部１７３ｃと、を有するので、待機流路７２の下流側端部におけるどの位置に遊技球が存在していても何れかの球保持部１７３に流入することが可能であり、球詰まりが発生することがない。また、待機流路７２は、所定方向の幅が遊技球の直径の３倍未満であるので、所定方向に並ぶ遊技球の数は２個以下であって、このような流路で待機する遊技球は、流路の両側端及びその間の中央部分に存在する可能性が高い。よって、球保持部１７３を周面１７２の両側端と中央に備えることで、待機する遊技球を効率よく排出できる。
【００８９】
また、周面１７２に、第１球保持部１７３ａと第２球保持部１７３ｂを同数形成するとともに、第３球保持部１７３ｃを第１球保持部１７３ａ及び第２球保持部１７３ｂよりも少ない数形成している。
【００９０】
したがって、周面１７２に、第１球保持部１７３ａと第２球保持部１７３ｂを同数形成するとともに、第３球保持部１７３ｃを第１球保持部１７３ａ及び第２球保持部１７３ｂよりも少ない数形成したので、効率よく遊技球を排出できる。すなわち、待機流路７２の中央に遊技球が位置する場合は、待機流路７２の一側端側及び他側端側に遊技球が位置する場合に比して少ないので、これに合わせて球保持部１７３を配置することで効率よく遊技球を保持でき、各配置位置に同数の球保持部１７３を備える場合よりも回転体２１０が１回転する際に排出される遊技球の数を多くできる。
【００９１】
また、排出装置２００を制御する制御装置（排出発射制御装置５０）を備え、排出装置２００は、回転体２１０に形成された所定の球保持部１７３を検出する第１検出手段（検出センサ２２０）と、排出流路７４を流下する遊技球を検出する第２検出手段（排出球センサ１８３）と、回転体２１０を駆動する駆動源１８０と、を備え、制御装置は、駆動源１８０により回転体２１０を所定の回転速度で回転させたにもかかわらず第２検出手段で遊技球を検出しなかった場合に、第１検出手段からの情報に基づき所定の球保持部１７３が待機流路７２に臨む状態となるまで回転体２１０を所定の回転速度よりも高速で回転する回転速度変更手段（排出発射制御装置５０）を備えている。
【００９２】
したがって、排出装置２００を制御する制御装置が、駆動源１８０により回転体２１０を所定の回転速度で回転させたにもかかわらず第２検出手段で遊技球を検出しなかった場合に、第１検出手段からの情報に基づき所定の球保持部１７３が待機流路７２に臨む状態となるまで回転体２１０を所定の回転速度よりも高速で回転する回転速度変更手段を備えるので、効率よく遊技球を排出できる。すなわち、球保持部１７３の位置と待機流路７２の下流側端部における遊技球の位置とが合わないと遊技球が保持されず、回転体２１０を回転しても遊技球が排出されない排出不能状態となるが、この場合に所定の球保持部１７３が待機流路７２に臨むように回転体２１０を高速で回転することで、排出不能状態をすばやく解消できる。特に、配置位置によって球保持部１７３の数を異ならせた場合には、球保持部１７３の数が少ない配置位置にある球保持部（例えば、第３球保持部１７３ｃ）を所定の球保持部１７３として設定すれば、排出不能状態をすばやく解消できる。
【００９３】
なお、本発明の遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００９４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９５】
【図１】本発明を適用した一実施の形態の構成を示す遊技機の正面図である。
【図２】遊技機の裏面図である。
【図３】遊技盤の正面図である。
【図４】遊技機の制御系の一部を示すブロック図である。
【図５】排出装置の第１ケース側から見た斜視図である。
【図６】排出装置の第１ケース側から見た分解斜視図である。
【図７】回転体の斜視図である。
【図８】第１ケース及び仕切部材の対向する開口側から見た斜視図である。
【図９】排出装置の第１ケースを取り外した状態の斜視図であって、（ａ）第１球保持部が待機流路に臨む状態を示す図、（ｂ）第３球保持部が待機流路に臨む状態を示す図、（ｃ）第２球保持部が待機流路に臨む状態を示す図である。
【図１０】排出装置の回転体及び待機流路が位置する部分の断面図であって、（ａ）第１球保持部が待機流路に臨む状態を示す図、（ｂ）第３球保持部が待機流路に臨む状態を示す図、（ｃ）第２球保持部が待機流路に臨む状態を示す図である。
【図１１】変形例にかかる排出装置の回転体の斜視図である。
【図１２】変形例にかかる排出装置の第１ケース及び仕切部材の対向する開口側から見た斜視図である。
【図１３】変形例にかかる排出装置の第１ケースを取り外した状態の斜視図であって、（ａ）第１球保持部が待機流路に臨む状態を示す図、（ｂ）第３球保持部が待機流路に臨む状態を示す図、（ｃ）第２球保持部が待機流路に臨む状態を示す図である。
【符号の説明】
【００９６】
５０  排出発射制御装置（制御装置、回転速度変更手段）
７０  排出装置
７２  待機流路
７４  排出流路
１００  遊技機
１７０  回転体
１７１  接続部（回転軸）
１７２  周面
１７３  球保持部
１７３ａ  第１球保持部
１７３ｂ  第２球保持部
１７３ｃ  第３球保持部
１８０  駆動源
１８３  排出球センサ（第２検出手段）
２００  排出装置
２１０  回転体
２２０  検出センサ（第１検出手段）
【図１】
2008284079.tif 000003
【図２】
2008284079.tif 000004
【図３】
2008284079.tif 000005
【図４】
2008284079.tif 000006
【図５】
2008284079.tif 000007
【図６】
2008284079.tif 000008
【図７】
2008284079.tif 000009
【図８】
2008284079.tif 000010
【図９】
2008284079.tif 000011
【図１０】
2008284079.tif 000012
【図１１】
2008284079.tif 000013
【図１２】
2008284079.tif 000014
【図１３】
2008284079.tif 000015